(57)【特許請求の範囲】
【請求項１】
第１国語で記述され、種類の異なる複数の商品札の取り付けを指示する指示書単位で作成されると共に、前記指示書を特定する指示書特定情報と、前記指示書に記述された商品を特定する商品特定情報とが含まれた商品札発行データに基づいて、文字情報が前記第１国語で印字された商品札を発行する商品札発行システムであって、前記第１国語とは異なる第２国語に前記第１国語を変換する言語変換テーブルと、前記商品札発行データに基づいて商品札印字データを生成すると共に、前記言語変換テーブルを用いて前記第２国語に変換した前記商品札発行データに基づいて検証用タグ印字データを生成する商品札印字データ生成手段と、該商品札印字データ生成手段によって生成された前記商品札印字データに基づいて、文字情報が前記第１国語で印字された前記商品札を発行すると共に、商品札印字データ生成手段によって生成された前記検証用タグ印字データに基づいて、前記第２国語で印字され、かつ、前記指示書特定情報および前記商品特定情報をコード化して印字した検証用タグを発行する商品札印字手段と、前記言語変換テーブルを用いて前記第２国語に変換した前記商品札発行データに基づいて指示書印字データを生成する指示書印字データ生成手段と、該指示書印字データ生成手段によって生成された前記指示書印字データに基づいて、前記第２国語で印字され、かつ、前記指示書特定情報と前記指示書に記述された商品毎の前記商品特定情報とをそれぞれコード化して印字した前記指示書を発行する指示書印字手段と、を具備することを特徴とする商品札発行システム。
【発明の詳細な説明】
【技術分野】
【０００１】
本発明は、商品に取り付ける値札や物流ラベル等の商品札を発行する商品札発行システムに関し、特に商品に取り付ける値札や物流ラベル等の商品札を据置型のプリンタを用いて発行する商品札発行システムに関する。
【背景技術】
【０００２】
商品に対して、値札や物流ラベル等の商品札を取り付ける際には、携帯用あるいは可販型プリンタを用いて、商品を見ながら商品札を発行して取り付ける方法と、据置型のプリンタで商品札を発行した後に、発行した商品札と商品とを付き合わせながら取り付ける方法があるが、大量の商品に対して商品札の取り付けを行う場合には、携帯用あるいは可販型プリンタは、商品札の大量発行には向いていないため、据置型のプリンタで商品札を発行し、発行した商品札と商品とを付き合わせながら取り付けることが一般的に行われている（例えば、特許文献１参照）。
【０００３】
商品を見ながら商品札を発行して取り付ける場合には、商品札に印字された情報を視認する必要がないが、発行された商品札と商品とを付き合わせながら取り付ける場合には、商品札に印字された情報を視認することで、商品札を取り付けるべき商品を特定し、特定した商品に対して商品札の取り付けが行われる。
【０００４】
しかしながら、第１国で販売される商品を、第１国とは異なる第２国で製造して第１国に輸入する場合、第２国に設置された工場や検品センタ等の海外拠点において、第１国で用いられている第１国語で印字された値札や物流ラベル等の商品札を商品に取り付けることが行われているが、商品札を商品に取り付ける作業員が第１国語を理解していないと、商品札に印字された情報を視認することができないため、発行した商品札と商品とを付き合わせることができず、商品に誤った商品札が取り付けられてしまうことがあるという問題点があった。
【０００５】
【特許文献１】特開２００１−６３１５３号公報
【発明の開示】
【発明が解決しようとする課題】
【０００６】
本発明は斯かる問題点に鑑みてなされたものであり、その目的とするところは、第１国語で印字された値札や物流ラベル等の商品札を商品に取り付ける作業員が、第１国語を理解していない場合でも、発行した商品札と商品とを付き合わせて、商品に正しい商品札を取り付けることができる商品札発行システムを提供する点にある。
【課題を解決するための手段】
【０００７】
本発明は上記課題を解決すべく、以下に掲げる構成とした。
請求項１記載の発明の要旨は、第１国語で記述され、種類の異なる複数の商品札の取り付けを指示する指示書単位で作成されると共に、前記指示書を特定する指示書特定情報と、前記指示書に記述された商品を特定する商品特定情報とが含まれた商品札発行データに基づいて、文字情報が前記第１国語で印字された商品札を発行する商品札発行システムであって、前記第１国語とは異なる第２国語に前記第１国語を変換する言語変換テーブルと、前記商品札発行データに基づいて商品札印字データを生成すると共に、前記言語変換テーブルを用いて前記第２国語に変換した前記商品札発行データに基づいて検証用タグ印字データを生成する商品札印字データ生成手段と、該商品札印字データ生成手段によって生成された前記商品札印字データに基づいて、文字情報が前記第１国語で印字された前記商品札を発行すると共に、商品札印字データ生成手段によって生成された前記検証用タグ印字データに基づいて、前記第２国語で印字され、かつ、前記指示書特定情報および前記商品特定情報をコード化して印字した検証用タグを発行する商品札印字手段と、前記言語変換テーブルを用いて前記第２国語に変換した前記商品札発行データに基づいて指示書印字データを生成する指示書印字データ生成手段と、該指示書印字データ生成手段によって生成された前記指示書印字データに基づいて、前記第２国語で印字され、かつ、前記指示書特定情報と前記指示書に記述された商品毎の前記商品特定情報とをそれぞれコード化して印字した前記指示書を発行する指示書印字手段と、を具備することを特徴とする商品札発行システムに存する。
【発明の効果】
【０００８】
本発明の商品札発行システムは、第１国語とは異なる第２国語に第１国語を変換する言語変換テーブルを備え、商品札発行データに基づいて商品札印字データを生成すると共に、言語変換テーブルを用いて第２国語に変換した商品札発行データに基づいて検証用タグ印字データを生成し、商品札印字データに基づいて、文字情報が第１国語で印字された商品札を発行すると共に、検証用タグ印字データに基づいて、第２国語で印字された検証用タグを発行するように構成することにより、第１国語で印字された値札や物流ラベル等の商品札を商品に取り付ける作業員が、第１国語を理解していない場合でも、第２国語で印字された検証用タグを視認することで、取り付けるべき商品を特定することができ、発行した商品札と商品とを付き合わせて、商品に正しい商品札を取り付けることができるという効果を奏する。
【０００９】
さらに、本発明の商品札発行システムは、種類の異なる複数の商品札の取り付けを指示する指示書単位で作成された商品札発行データを用い、言語変換テーブルを用いて第２国語に変換した商品札発行データに基づいて指示書印字データを生成し、指示書印字データに基づいて、第２国語で印字された指示書を発行するように構成することにより、第１国語で印字された値札や物流ラベル等の商品札を商品に取り付ける作業員が、第１国語を理解していない場合でも、第２国語で印字された指示書と、第２国語で印字された検証用タグとを視認することで、洩れなく商品に正しい商品札を取り付けることができるという効果を奏する。
【００１０】
さらに、本発明の商品札発行システムは、指示書を特定する指示書特定情報と、指示書に記述された商品を特定する商品特定情報とが含まれている商品札発行データを用い、指示書特定情報と指示書に記述された商品毎の商品特定情報とをそれぞれコード化して指示書に印字し、指示書特定情報および商品特定情報をコード化して検証用タグに印字するように構成することにより、スキャナ装置を用いて、指示書に印字された指示書特定情報および商品特定情報と、検証用タグに印字された指示書特定情報および商品特定情報とを読み取って比較させることにより、指示書と、検証用タグおよび商品札とを正確且つ簡単に整合させることができるという効果を奏する。
【発明を実施するための最良の形態】
【００１１】
以下、本発明の実施の形態を図面に基づいて詳細に説明する。
【００１２】
図１は、本発明に係る商品札発行システムの実施の形態の構成を示すブロック図であり、図２は、図１に示すホスト端末で作成される値札発行情報例を示す図であり、図３は、図１に示す拠点端末の値札発行データ記憶部に記憶された値札発行情報例を示す図であり、図４は、図１に示す拠点端末の言語変換テーブル例を示す図であり、図５は、図１に示す値札プリンタによって印字される値札例および検証用タグ例を示す図であり、図６は、図１に示す指示書プリンタによって印字される指示書例を示す図である。
【００１３】
本実施の形態の商品札発行システムは、第１国で販売される商品を、第１国とは異なる第２国で製造して第１国に輸入する際に、第２国に設置された工場や検品センタ等の海外拠点において、第１国で用いられている第１国語で印字された値札や物流ラベル等の商品札を間違いなく商品に取り付けるためのシステムであり、図１を参照すると、第１国である日本国内に設置されたホスト端末１と、第２国である中国に設置され、インターネット等のネットワーク２によってホスト端末１と接続されている拠点端末３と、拠点端末３に接続され、商品に取り付ける値札４を発行する値札プリンタ５と、拠点端末３に接続され、値札４の商品への取り付けを指示する指示書６を発行する指示書プリンタ７と、スキャナ装置８とを備えている。
【００１４】
ホスト端末１は、プログラムによって動作するコンピュータ等の情報処理装置であり、値札４を値札プリンタ５から発光するための値札発行データを作成し、作成した値札発行データをネットワーク２経由で拠点端末３に送信する機能を有する。値札発行データは、
種類の異なる複数の値札４の取り付けを指示する指示書６単位で作成され、図２に示すように、指示書を特定する指示書特定情報である指示書番号と、指示書に記述された商品を特定する商品特定情報である行番号と、値札４に印字する商品番号、商品名、カラーおよび価格からなる行番号に対応した値札印字情報と、値札４の発行枚数とを含むテキスト形式のデータであり、第１国語である日本語で記述されている。なお、値札発行データは、予め定められたフォーマットで作成され、拠点端末３によって認識、すなわち印字レイアウトの各可変フィールドとの対応関係が解るようになっている。また、値札発行データとしては、拠点端末３によって認識される形式であれば、固定長データであっても、あるいはカンマ、タブもしくはピリオドで区切られた可変長データであっても良い。
【００１５】
拠点端末３は、プログラムによって動作するコンピュータ等の情報処理装置であり、ネットワーク２経由でホスト端末１から受信した値札発行データに基づき、値札４を値札プリンタ５から発行すると共に、指示書６を指示書プリンタ７から発行する機能を有し、図１を参照すると、ネットワーク２経由でホスト端末１から値札発行データを受信する受信部３１と、受信部３１で受信された値札発行データが記憶される値札発行データ記憶部３２と、情報処理部３３と、入力部３４と、言語変換テーブル３５と、値札印字データ生成部３６と、指示書印字データ生成部３７と、無線送信部３８とを備えている。
【００１６】
受信部３１は、ネットワーク２経由でホスト端末１と情報通信を行う機能を有し、ネットワーク２経由でホスト端末１から受信し、図３に示すように、受信した値札発行データを指示書番号単位で、ハードディスク等の記憶手段である値札発行データ記憶部３２に記憶させる。
【００１７】
情報処理部３３は、キーボード等の入力部３４から指示書番号を指定した値札発行指示が入力されると、値札発行データ記憶部３２から指定された指示書番号の値札発行データを読み出し、読み出した値札発行データを値札印字データ生成部３６および指示書印字データ生成部３７にそれぞれ出力する。
【００１８】
言語変換テーブル３５は、第１国語である日本語で記述されている値札発行データを第２国語である中国語に変換するために用いられ、図４を参照すると、第１国語である日本語に対応する第２国語である中国語が記述されている。なお、言語変換テーブル３５は、予め値札４および指示書６に用いられる単語に基づいて作成されたものであり、値札４および指示書６に用いられる値札４および指示書６に印字される商品名、カラー等の単語が少なくとも記述されている。
【００１９】
値札印字データ生成部３６には、図５に示す値札４と検証用タグ４１とを印字するためのレイアウト情報がそれぞれ記憶されており、値札発行データを値札４用のレイアウト情報に反映させた値札印字データを生成すると共に、言語変換テーブル３５に基づいて第２国語である中国に変換した値札発行データを検証用タグ４１用のレイアウト情報に反映させた検証用タグ印字データを生成し、生成した値札印字データおよび検証用タグ印字データと、値札発行データに記述された発行枚数とを値札プリンタ５に送信する。なお、印字レイアウト情報は、固定フィールド（予め入力された固定データを印字するフィールド）と可変フィールド（可変データ、すなわち値札発行データが印字されるフィールド）とが設定され、固定フィールドおよび可変フィールドについて、印字座標（Ｘ，Ｙ）、種別（文字、バーコード、罫線等）および修飾情報（拡大率、反転、回転等）が設定されている。また、値札印字データおよび検証用タグ印字データは、値札発行データに記述された行番号単位で生成され、本実施の形態では、図５に示すように、値札印字データにおいて、値札発行データに記述された商品名、カラーおよび価格が文字情報（日本語）として反映されると共に、値札発行データに記述された商品番号がバーコードとして反映され、検証用タグ印字データにおいて、値札発行データに記述された商品名およびカラーが文字情報（中国語）として反映されると共に、値札発行データに記述された指示書番号および行番号が２次元コードとして反映されるように構成されている。
【００２０】
指示書印字データ生成部３７には、図６に示す指示書６を印字するためのレイアウト情報が記憶されており、言語変換テーブル３５に基づいて第２国語である中国に変換した値札発行データを指示書６用のレイアウト情報に反映させた指示書印字データを生成し、生成した指示書印字データを指示書プリンタ７に送信する。なお、指示書印字データは、値札発行データにおける指示書番号単位で生成され、本実施の形態では、図６に示すように、指示書印字データに、値札発行データに記述された各データが文字情報（中国語）として反映されると共に、値札発行データに記述された指示書番号が２次元コードとして、値札発行データに記述された行番号がバーコードとしてそれぞれ反映されように構成されている。
【００２１】
値札プリンタ５は、第１国語である日本語フォント９と、第２国語である中国語フォント１０とを備えており、値札印字データ生成部３６から送信された値札印字データに基づいて、値札発行データに記述された発行枚数の値札４を発行すると共に、値札印字データ生成部３６から送信された検証用タグ印字データに基づいて、１枚の検証用タグ４１を発行する。図５には、図２に示す値札発行データに記述されている行番号「００１」に対応して印字された値札４および検証用タグ４１が示されており、値札４には、値札発行データに記述された商品名、カラーおよび価格が文字情報（日本語）として印字されると共に、値札発行データに記述された商品番号がバーコードとして印字される。また、検証用タグ４１には、値札発行データに記述された商品名およびカラーが文字情報（中国語）として印字されると共に、値札発行データに記述された指示書番号および行番号が２次元コードとして印字される。さらに、値札プリンタ５には、発行された値札４および検証用タグ４１をスタックするスタッカ機能が備えられていると好適であり、スタッカ機能が備えられている場合には、スッタクされた状態において、検証用タグ４１の印字面が目視できる状態になるように印字順を制御すると良い。
【００２２】
指示書プリンタ７は、第２国語である中国語フォント１０を備えており、値札印字データ生成部３６から送信された指示書印字データに基づいて、指示書６を発行する。図６には、図２に示す値札発行データに対応して印字された指示書６が示されており、指示書６には、値札発行データに記述された各データが文字情報（中国語）として印字されると共に、値札発行データに記述された指示書番号が２次元コードとして、値札発行データに記述された行番号がバーコードとしてそれぞれ印字映される。また、本実施の形態では、指示書６に印字する文字情報を中国語のみとしたが、指示書プリンタ７も第１国語である日本語フォント９を備え、中国語と共に日本語も併記するようにしても良い。
【００２３】
スキャナ装置８は、指示書６に印字された２次元コードおよびバーコードと、検証用タグ４１に印字された２次元コードとを読み取る機能を有し、拠点端末３の無線送信部３８から受信した値札発行データに記述された指示書番号と、指示書６に印字された２次元コード（指示書番号）とを比較検証すると共に、指示書６に印字されたバーコード（行番号）と、検証用タグ４１に印字された２次元コード（指示書番号＋行番号）とを比較検証し、作業員に比較結果を通知する。
【００２４】
まず、本実施の形態の商品札発行システムによる値札、検証用タグおよび指示書の発行動作について図７を参照して詳細に説明する。
図７は、本発明に係る商品札発行システムの実施の形態における値札、検証用タグおよび指示書の発行動作を説明するためのフローチャートである。
【００２５】
図７を参照すると、ホスト端末１が設置されている日本国内（第１国）から拠点端末３が設置されている中国の海外拠点（第２国）に対して、商品への値札の取り付けを指示するに際し、第１国語である日本語を理解する日本国内の担当者は、ホスト端末１において日本語で記述した値札発行データを作成して（ステップＡ１）、作成した値札発行データをホスト端末１から拠点端末３にネットワーク２経由で送信する（ステップＡ２）。
【００２６】
拠点端末３の受信部３１は、ネットワーク２経由でホスト端末１から受信し（ステップＡ３）、受信した値札発行データを指示書番号単位で、ハードディスク等の記憶手段である値札発行データ記憶部３２に記憶させる（ステップＡ４）。
【００２７】
次に、キーボード等の入力部３４から指示書番号を指定した値札発行指示が入力されると（ステップＡ５）、情報処理部３３は、値札発行データ記憶部３２から指定された指示書番号の値札発行データを読み出し（ステップＡ６）、読み出した値札発行データを値札印字データ生成部３６および指示書印字データ生成部３７にそれぞれ出力する。
【００２８】
値札印字データ生成部３６は、値札発行データを値札４用のレイアウト情報に反映させた値札印字データを生成すると共に、言語変換テーブル３５に基づいて第２国語である中国に変換した値札発行データを検証用タグ４１用のレイアウト情報に反映させた検証用タグ印字データを生成し、生成した値札印字データおよび検証用タグ印字データと、値札発行データに記述された発行枚数とを値札プリンタ５に送信し、値札プリンタ５は、値札印字データ生成部３６から送信された値札印字データに基づいて、値札発行データに記述された発行枚数の値札４を第１国語である日本語で発行すると共に（ステップＡ７）、値札印字データ生成部３６から送信された検証用タグ印字データに基づいて、１枚の検証用タグ４１を第２国語である中国語で発行する（ステップＡ８）。なお、値札４には、値札発行データに記述された商品名、カラーおよび価格が文字情報（日本語）として印字されると共に、値札発行データに記述された商品番号がバーコードとして印字され、検証用タグ４１には、値札発行データに記述された商品名およびカラーが文字情報（中国語）として印字されると共に、値札発行データに記述された指示書番号および行番号が２次元コードとして印字される。
【００２９】
指示書印字データ生成部３７は、言語変換テーブル３５に基づいて第２国語である中国に変換した値札発行データを指示書６用のレイアウト情報に反映させた指示書印字データを生成し、生成した指示書印字データを指示書プリンタ７に送信し、指示書プリンタ７は、値札印字データ生成部３６から送信された指示書印字データに基づいて、指示書６を第２国語である中国語で発行する（ステップＡ９）。なお、指示書６には、値札発行データに記述された各データが文字情報（中国語）として印字されると共に、値札発行データに記述された指示書番号が２次元コードとして、値札発行データに記述された行番号がバーコードとしてそれぞれ印字される。
【００３０】
次に、本実施の形態の商品札発行システムによって発行された指示書に基づく値札の取り付け作業について図８および図９を参照して詳細に説明する。
図８は、図１に示す指示書に基づいて値札を商品に取り付ける作業手順を説明するためのフローチャートであり、図９は、図１に示す指示書プリンタによって印字された指示書に検証用タグが留められた状態を示す図である。
【００３１】
海外拠点において、値札プリンタ５から値札４および検証用タグ４１が発行され、指示書プリンタ７から指示書６が発行されると、商品に値札４を取り付ける作業を行うに際し、第２国語である中国語を理解する作業員は、スキャナ装置８を用いて、指示書６の２次元コード、すなわち指示書番号を読み取ると共に（ステップＢ１）、指示書６の中国語で印字された文字情を目視することで、値札４の取り付けを行う行を選択し、選択した行のバーコード、すなわち行番号を読み取る（ステップＢ２）。
【００３２】
次に、作業員は、検証用タグ４１に中国語で印字された文字情報を目視することで、検証用タグ４１および値札４の束を特定し、スキャナ装置８を用いて、検証用タグ４１の２次元コード、すなわち指示書番号および行番号を読み取る（ステップＢ３）。なお、検証用タグ４１に中国語で文字情報が印字されているため、値札４に日本語で印字された文字情報を理解できなくても、検証用タグ４１および値札４の束を特定することができる。
【００３３】
次に、スキャナ装置８は、ステップＢ３で読み取った指示書番号および行番号が、ステップＢ１で読み取った指示書番号と、ステップＢ２で読み取った行番号とに一致するか否かを判断し（ステップＢ４）、一致しない場合には、不一致通知を表示や音によって作業員に報知し（ステップＢ５）、一致する場合には、一致通知を表示や音によって作業員に報知する（ステップＢ６）。
【００３４】
ステップＢ５で不一致通知が報知されると、作業員は、特定した検証用タグ４１および値札４の束が間違っていたことを認識することができ、他の検証用タグ４１および値札４の束を特定し直して、ステップＢ３の作業に戻る。
【００３５】
ステップＢ６で一致通知が報知されると、作業員は、特定した検証用タグ４１および値札４の束が正しいことを認識することができ、値札４を商品に取り付ける値札４の取り付け作業を行うと共に（ステップＢ７）、図９に示すように、検証用タグ４１を、指示書６のステップＢ２で特定した行に紙綴器やテープ等を用いて留める（ステップＢ８）。このように検証用タグ４１を指示書６に留めることにより、値札４の取り付け作業を行った行を確実に把握することができる。
【００３６】
次に、作業員は、商品に他に取り付ける値札４があるか否かを判断し（ステップＢ９）、他に取り付ける値札４がある場合には、ステップＢ２に戻って作業を継続し、他に取り付ける値札４がない場合には、作業を終了する。
【００３７】
なお、本実施の形態では、拠点端末３において、日本語で記述された値札発行データを中国語に変換するように構成したが、ホスト端末１において、日本語で記述された値札発行データを中国語に変換し、日本語で記述された値札発行データと、中国で記述された値札発行データとをセットにして拠点端末３にネットワーク２経由で送信するようにしても良い。
【００３８】
また、本実施の形態では、指示書６において、指示書番号を２次元コードで、行番号をバーコードでそれぞれ印字すると共に、検証用タグ４１において、指示書番号および行番号を２次元コードで印字するように構成したが、スキャナ装置８に読み取ることができるのであれば、２次元コードもしくはバーコードのいずれを印字するようにしても良く、さらに、スキャナ装置８に文字認識機能を備えている場合には、文字情報として印字するようにしても良い。
【００３９】
さらに、本実施の形態では、行番号によって、取り付け作業を行う値札４と指示書６とを関連づけ、行番号を商品を特定する商品特定情報として用いるように構成したが、行番号の代わりに、商品番号等の商品を特定することができる商品特定情報を用いるようにしても良く、この場合には、指示書６において、商品番号をバーコードで印字すると共に、検証用タグ４１において、指示書番号および商品番号を２次元コードで印字するように構成すると良い。
【００４０】
以上説明したように、本実施の形態によれば、中国語（第２国語）に日本語（第１国語）を変換する言語変換テーブル３５を備え、値札印字データ生成部３６は、値札発行データに基づいて値札印字データを生成すると共に、言語変換テーブル３５を用いて中国語に変換した値札発行データに基づいて検証用タグ印字データを生成し、値札プリンタ５は、値札印字データに基づいて、文字情報が日本語で印字された値札４を発行すると共に、検証用タグ印字データに基づいて、中国語で印字された検証用タグ４１を発行するように構成することにより、日本語で印字された値札４を商品に取り付ける作業員が、日本語を理解していない場合でも、中国語で印字された検証用タグ４１を視認することで、取り付けるべき商品を特定することができ、発行した値札４と商品とを付き合わせて、商品に正しい値札４を取り付けることができるという効果を奏する。
【００４１】
さらに、本実施の形態によれば、種類の異なる複数の値札４の取り付けを指示する指示書６単位で作成された値札発行データを用い、指示書印字データ生成部３７は、言語変換テーブル３５を用いて中国語に変換した値札発行データに基づいて指示書印字データを生成し、指示書プリンタ７は、指示書印字データに基づいて、中国語で印字された指示書６を発行するように構成することにより、日本語で印字された値札４を商品に取り付ける作業員が、日本語を理解していない場合でも、中国語で印字された指示書６と、中国語で印字された検証用タグ４１とを視認することで、洩れなく商品に正しい値札４を取り付けることができるという効果を奏する。
【００４２】
さらに、本実施の形態によれば、指示書６を特定する指示書特定情報と、指示書６に記述された商品を特定する商品特定情報とが含まれている値札発行データを用い、指示書プリンタ７は、指示書特定情報と指示書に記述された商品毎の商品特定情報とをそれぞれコード化して指示書６に印字し、値札プリンタ５は、指示書特定情報および商品特定情報をコード化して検証用タグ４１に印字するように構成することにより、スキャナ装置８を用いて、指示書６に印字された指示書特定情報および商品特定情報と、検証用タグ４１に印字された指示書特定情報および商品特定情報とを読み取って比較させることにより、指示書６と、検証用タグ４１および値札４とを正確且つ簡単に整合させることができるという効果を奏する。
【００４３】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００４４】
【図１】本発明に係る商品札発行システムの実施の形態の構成を示すブロック図である。
【図２】図１に示すホスト端末で作成される値札発行情報例を示す図である。
【図３】図１に示す拠点端末の値札発行データ記憶部に記憶された値札発行情報例を示す図である。
【図４】図１に示す拠点端末の言語変換テーブル例を示す図である。
【図５】図１に示す値札プリンタによって印字される値札例および検証用タグ例を示す図である。
【図６】図１に示す指示書プリンタによって印字される指示書例を示す図である。
【図７】本発明に係る商品札発行システムの実施の形態における値札、検証用タグおよび指示書の発行動作を説明するためのフローチャートである。
【図８】図１に示す値札プリンタによって印字された値札を商品に取り付ける作業手順を説明するためのフローチャートである。
【図９】図１に示す指示書に基づいて値札を商品に取り付ける作業手順を説明するためのフローチャートである。
【符号の説明】
【００４５】
１  ホスト端末
２  ネットワーク
３  拠点端末
４  値札
５  値札プリンタ
６  指示書
７  指示書プリンタ
８  スキャナ装置
９  日本語フォント
１０  中国語フォント
３１  受信部
３２  値札発行データ記憶部
３３  情報処理部
３４  入力部
３５  言語変換テーブル
３６  値札印字データ生成部
３７  指示書印字データ生成部
３８  無線送信部
４１  検証用タグ
【図１】
0004347376.tif 000002
【図２】
0004347376.tif 000003
【図３】
0004347376.tif 000004
【図４】
0004347376.tif 000005
【図５】
0004347376.tif 000006
【図６】
0004347376.tif 000007
【図７】
0004347376.tif 000008
【図８】
0004347376.tif 000009
【図９】
0004347376.tif 000010